(57)【要約】【課題】後方部における液漏れを抑制することができる吸収性物品を提供する。【解決手段】本発明の一形態に係る吸収性物品は、吸収性コアを具備する。上記吸収性コアは、長手方向の両端部側に位置する前方コア部及び後方コア部を有する。上記後方コア部は、上記長手方向に直交する幅方向に配列され上記長手方向に延びる複数の第１の溝部と、上記第１の溝部よりも上記幅方向の中央側に設けられ、上記長手方向に延び、上記複数の第１の溝部よりも幅広の単数又は複数の第２の溝部と、を含む構造面を有する。【選択図】図４
2019103712.tif 000002
【特許請求の範囲】
【請求項１】
長手方向の両端部側に位置する前方コア部及び後方コア部を有する吸収性コアを具備し、
前記後方コア部は、
前記長手方向に直交する幅方向に配列され前記長手方向に延びる複数の第１の溝部と、
前記第１の溝部よりも前記幅方向の中央側に設けられ、前記長手方向に延び、前記複数の第１の溝部よりも幅広の単数又は複数の第２の溝部と、を含む構造面を有する
吸収性物品。
【請求項２】
請求項１に記載の吸収性物品であって、
前記第２の溝部は、前記幅方向の中央部に少なくとも３つ配列され、
前記第１の溝部は、前記中央部の幅方向外方に位置する両側方部に少なくとも１つずつ配列される
吸収性物品。
【請求項３】
請求項１又は請求項２に記載の吸収性物品であって、
前記吸収性コアは、前方コア部及び後方コア部の間に位置する中間コア部を更に有し、
前記中間コア部は、前記構造面に隣接する受液面を有し、
前記受液面は、前記幅方向の中央部に設けられた高坪量部と、前記高坪量部の周囲に設けられ前記高坪量部よりも坪量が低い低坪量部とを有する
吸収性物品。
【請求項４】
請求項３に記載の吸収性物品であって、
前記吸収性コアは、前記構造面と前記受液面との間に前記幅方向に沿って設けられ前記第２の溝部よりも幅狭の第３の溝部を更に有する
吸収性物品。
【請求項５】
請求項３又は請求項４に記載の吸収性物品であって、
前記中間コア部は、
前記高坪量部の周囲に設けられた第４の溝部と、
前記高坪量部の内部に前記長手方向に沿って設けられ前記第４の溝部よりも幅広の第５の溝部と、を更に有する
吸収性物品。
【請求項６】
請求項３から５のいずれか１項に記載の吸収性物品であって、
前記中間コア部は、前記前方コア部及び後方コア部よりも幅狭に形成され、
前記複数の第１の溝部は、前記中間コア部の最小幅を規定する両側縁部の前記後方コア部における延長線上、または、前記後方コア部における前記延長線よりも内側にそれぞれ設けられる
吸収性物品。
【発明の詳細な説明】
【技術分野】
【０００１】
本発明は、生理用ナプキン等の吸収性物品に関する。
【背景技術】
【０００２】
経血等の液状物を吸収する吸収性物品は、液状物を吸収するための長手方向を有する吸収体を備えている。吸収体は、吸収性コアと該吸収性コアを被覆するコアラップシートを有する。吸収性コアには、吸収性物品を着用する装着者の肌に沿うように、溝が形成されているものがある（例えば特許文献１参照）。
【先行技術文献】
【特許文献】
【０００３】
【特許文献１】特開２０１５−１１２２３５号公報
【発明の概要】
【発明が解決しようとする課題】
【０００４】
吸収性物品としての生理用ナプキンは、その後方部が装着者の臀部に対応して装着される。特に、夜間用の生理用ナプキンは、後方部の液漏れを抑制するために後方部が長く形成されており、生理用ナプキンの後方部は、臀部をほぼ覆うように形成される。臀部は、臀部の膨らみに対して臀裂部分が急激に窪む形状となっているため、生理用ナプキンの後方部において、臀裂と生理用ナプキンとの間に隙間が生じやすい。このため、装着者の排泄領域から排泄された経血等の液状物は、臀裂をつたって後方部に流れやすく、後方部で液漏れが生じる場合がある。
【０００５】
本発明の課題は、後方部における液漏れを抑制することができる吸収性物品に関する。
【課題を解決するための手段】
【０００６】
本発明の一形態に係る吸収性物品は、吸収性コアを具備する。
上記吸収性コアは、長手方向の両端部側に位置する前方コア部及び後方コア部を有する。
上記後方コア部は、上記長手方向に直交する幅方向に配列され上記長手方向に延びる複数の第１の溝部と、上記第１の溝部よりも上記幅方向の中央側に設けられ、上記長手方向に延び、上記複数の第１の溝部よりも幅広の単数又は複数の第２の溝部と、を含む構造面を有する。
【発明の効果】
【０００７】
以上のように、本発明によれば、吸収性物品の後方部における液漏れを抑制することができる。
【図面の簡単な説明】
【０００８】
【図１】本発明の第１の実施形態の吸収性物品を示す斜視図である。
【図２】上記吸収性物品の平面図である。
【図３】図２のIII−III線で切断した断面図である。
【図４】上記吸収性物品の吸収性コアを示す平面図である。
【図５】上記吸収性物品を着用した際のナプキンの変形状態を示す概略図である。
【図６】本発明の第２の実施形態の吸収性コアの平面図である。
【図７】本発明の第３の実施形態の吸収性コアの平面図である。
【図８】本発明の第４の実施形態の吸収性コアの平面図である。
【図９】本発明の第５の実施形態の吸収性コアの平面図である。
【図１０】本発明の第６の実施形態の吸収性コアの平面図である。
【図１１】本発明の第７の実施形態の吸収性コアの平面図である。
【図１２】第７の実施形態の吸収性コアが組み込まれた吸収性物品の中間コア部の断面図である。
【図１３】本発明の第８の実施形態の吸収性コアの平面図である。
【図１４】第１の実施形態の吸収性コアの変形例を示す部分平面図である。
【発明を実施するための形態】
【０００９】
以下、図面を参照しながら、本発明の実施形態を説明する。
図面には、Ｘ軸、Ｙ軸、及びＺ軸が示されている。
【００１０】
＜第１の実施形態＞
［ナプキンの全体構成］
図１は、本発明の一実施形態に係る吸収性物品１を示す斜視図である。図１では、Ｘ軸方向が前後方向、Ｙ軸方向が左右方向、Ｚ軸方向が上下方向にそれぞれ対応する。
図２は、吸収性物品１の平面図であり、図１に示す吸収性物品１をＸＹ平面に沿って引き延ばした態様を示す。図２に示す吸収性物品１では、Ｘ軸方向が長手方向、Ｙ軸方向が幅方向、Ｚ軸方向が厚み方向に対応する。以下、特段断らない場合、長手方向、幅方向、厚み方向は、吸収性物品における各方向を意味する。以下、図２に示す態様において吸収性物品１を説明する。
本実施形態の吸収性物品１は、生理用ナプキンとして構成され、以下、ナプキン１と称する。
本実施形態のナプキン１は、日中の活動時や就寝時に使用されるものであり、就寝時に使用されるものであれば、例えば長手方向であるＸ軸方向に沿って３０ｃｍ以上の長さを有していてもよい。
【００１１】
ナプキン１は、本実施形態において、本体Ｍと、一対のウイング部Ｗと、一対のサイドガードＧと、一対の後方フラップ部Ｆと、を備える。
【００１２】
本体Ｍは、長手方向に延び、装着時に装着者の下着の内面（被装着面）に固定される。本体Ｍは、後述する吸収体を有しており、装着者の経血等の液状物（以下、「液」とも称する）を吸収する機能を有する。
本体Ｍは、長手方向に沿って区分された、前方領域Ｍ１と、中間領域Ｍ２と、後方領域Ｍ３とを有する。
前方領域Ｍ１は、中間領域Ｍ２の前方（装着者の腹側）に配置される領域であり、装着時に装着者の排泄領域の前方に対向するように構成される。
中間領域Ｍ２は、装着時に装着者の排泄領域に対向するように構成される。ウイング部を有するナプキンの場合には、ウイング部の全長と重なる長手方向Ｘの領域が中間領域Ｍ２となる。ウイング部を有さないナプキンの場合には、ナプキンの全長を３等分したときの中央の領域を中間領域Ｍ２とする。なお、中間領域Ｍ２は、図示のように本体Ｍの前方寄りに位置してもよいし、本体Ｍの長手方向の中央部に位置してもよい。
後方領域Ｍ３は、中間領域Ｍ２の後方（装着者の背側）に配置される領域であり、装着時に装着者の排泄領域の後方に対向するように構成される。後方領域Ｍ３は、本実施形態において、前方領域Ｍ１及び中間領域Ｍ２の各々より長手方向に長く形成されている。これにより、後方への液の漏れを効果的に防止することができる。
【００１３】
ウイング部Ｗは、中間領域Ｍ２から幅方向の外側に大きく突出するように構成される。
サイドガードＧは、中間領域Ｍ２を含む本体Ｍの幅方向周縁において、長手方向に延びるように配置される。サイドガードＧは、サイドシート１４の自由端部１４１近傍に伸長状態で糸状弾性部材が配されることによって肌側へ起立するサイドギャザーとして機能する。
【００１４】
後方フラップ部Ｆは、後方領域Ｍ３から幅方向の外方に膨出するように構成され、装着時に装着者の下着の内面の臀部に面する領域に固定され得る。これにより、後方フラップ部Ｆは、装着時における装着者の動作に伴う後方領域Ｍ３の位置ずれを防止し、後方領域Ｍ３による後ろ漏れ防止機能をサポートすることができる。
なお、ナプキン１は、ウイング部Ｗ、サイドガードＧ、及び後方フラップ部Ｆのうちの少なくとも一つを有さなくてもよい。
【００１５】
［ナプキンの各部の構成］
図３は、図２のIII−III線で切断した断面図である。
ナプキン１は、吸収体１１と、表面シート１２と、裏面シート１３と、一対のサイドシート１４と、粘着部１５と、圧搾溝１６と、を備える。
なお、本体Ｍは、吸収体１１と、表面シート１２と、裏面シート１３と、を有し、これらが積層された構成を有する。
【００１６】
吸収体１１は、Ｘ軸方向に長手方向を有し、ナプキン１の厚み方向中央部に配置される。吸収体１１は、排泄された液を表面シート１２側の面から吸収し、内部で拡散させて当該液を保持する。
吸収体１１は、吸収性コア２０とコアラップシート３０とを有する。
【００１７】
吸収性コア２０は、液を吸収及び保持する機能を有する。吸収性コア２０は、例えば、パルプ繊維等の親水性繊維で構成された繊維集合体で形成されてもよいし、当該繊維集合体に吸水性ポリマーを保持させた構成を有していてもよい。吸収性コア２０の詳細な構成については後述する。
吸収性コア２０は、表面シート１２に対向する第１の面２０ａと、裏面シート１３に対向する第２の面２０ｂとを有する。本実施形態において、第１の面２０ａは、凸状構造や溝を有する構造面として構成され、第２の面２０ｂは平坦面として構成される。
【００１８】
コアラップシート３０は、吸収性コア２０を被覆し、例えば吸収性コア２０の形状を保持する機能等を有する。コアラップシート３０は、例えばティッシュペーパーのような薄く柔らかい紙や液透過性の不織布等で形成される。
【００１９】
表面シート１２は、液透過性のシート材として構成され、吸収体１１上に配置される。表面シート１２は、本体Ｍにおいてナプキン１の表面（厚み方向上方の面）を構成する外面１２ａを含む。
【００２０】
裏面シート１３は、吸収体１１を挟んで表面シート１２と厚み方向に対向して配置される。裏面シート１３は、ナプキン１の裏面（厚み方向下方の面）を構成する外面１３ａを含み、本体Ｍ、ウイング部Ｗ及び後方フラップ部Ｆの全体に配置される。
【００２１】
一対のサイドシート１４は、表面シート１２を挟んで幅方向に相互に対向し、ナプキン１の幅方向周縁に配置される。
【００２２】
粘着部１５は、ナプキン１を下着に対して固定させるための構成であり、裏面シート１３の外面１３ａに形成される。粘着部１５は、例えば、本体Ｍに設けられる本体粘着部１５１と、ウイング部Ｗに設けられるウイング粘着部（後述する図１２の符号１５２）と、後方フラップ部Ｆに設けられる後方フラップ粘着部１５３と、を有する。
【００２３】
圧搾溝１６は、吸収体１１及び表面シート１２を圧搾加工することによって形成された線状溝として構成される。圧搾溝１６は、図１、２に示すように本体Ｍを周回するように構成される。
圧搾溝１６により、装着時に装着者にフィットする形状への変形を誘導できるとともに、ナプキン１の幅方向及び長手方向外方への液漏れ防止効果を高めることができる。
【００２４】
［吸収性コアの詳細な構成］
図３は、図２のナプキン１の後方コア部２３における断面図である。
図４は、吸収体１１の一部を構成する吸収性コア２０の構成を示す平面図である。図４は、ナプキン１として組み立てられる前の吸収性コア２０単体の平面図である。従って、図４に示される吸収性コア２０では、圧搾溝１６による溝は形成されていない状態となっている。
【００２５】
（吸収性コアの全体構成）
吸収性コア２０は、長手方向の両端部側に位置する前方コア部２１と後方コア部２３と、前方コア部２１と後方コア部２３の間に位置する中間コア部２２とを有する。吸収性コア２０は、中間コア部２２において括れた平面形状を有する。吸収性コア２０の前方コア部２１は前方領域Ｍ１のみに、中間コア部２２は前方領域Ｍ１から中間領域Ｍ２を介して後方領域Ｍ３に亘る範囲に、後方コア部２３は後方領域Ｍ３のみにそれぞれ配置される。
【００２６】
前方コア部２１及び後方コア部２３は、長手方向の両端部側に位置する。前方コア部２１及び後方コア部２３は、装着時に装着者の排泄領域の前方及び後方にそれぞれ配置され得る。
中間コア部２２は、前方コア部２１及び後方コア部２３の間に位置し、前方コア部２１及び後方コア部２３よりも幅狭に形成される。
【００２７】
前方コア部２１及び後方コア部２３は、本実施形態において、中間コア部２２に隣接し中間コア部２２に向かって幅が減少する境界部２１ａ，２３ａをそれぞれ有していてもよい。境界部２１ａ，２３ａは、Ｙ軸方向に平行な対称軸に関して線対称な形状でもよいし、非対称な形状でもよい。境界部２１ａ，２３ａを設けることで、幅方向内方への外力に対する境界部２１ａ，２３ａの変形を抑制し、中間コア部２２の変形を効果的に抑制することができる。
【００２８】
吸収性コア２０は、厚み方向に沿って相互に対向する第１の面２０ａと第２の面２０ｂとを有する。
【００２９】
第１の面２０ａは、コアラップシート３０を介して表面シート１２が配置される側の面である。表面シート１２の外面１２ａは肌当接面となる。ナプキン１が装着者により装着された際、第１の面２０ａは装着者の肌側に位置する。
【００３０】
第２の面２０ｂは、コアラップシート３０を介して裏面シート１３が配置される側の面である。裏面シート１３の外面１３ａに形成される粘着部１５によりナプキン１は下着の内面に固定可能に構成される。ナプキン１が装着者により装着された際、第２の面２０ｂは下着の内面側に位置する。第２の面２０ｂは略平坦面となっている。
【００３１】
第１の面２０ａは互いに交差する複数の縦溝部２７及び横溝部２８を有する。
吸収性コア２０において、縦溝部２７及び横溝部２８は、吸収性コア２０の幅方向（Ｙ軸方向）の中央を通る長手方向（Ｘ軸方向）に延びる直線を軸にして線対称に設けられる。
複数の横溝部２８は、長手方向に配列され、長手方向に直交する幅方向に延びる。
複数の縦溝部２７は、幅方向に配列され、長手方向に延びる。
【００３２】
縦溝部２７及び横溝部２８を設けることで、吸収性コア２０の柔軟性を高めるとともに、溝の内部に液を引き込むことで液吸収速度を高めることができる。また、吸収性コア２０が縦溝部２７及び横溝部２８によって複数のブロック部に区画されることで、吸収性コア２０の表面積を高め、液を効率よく吸収し保持することができる。
各ブロック部は、平面視したときの頂部の平面形状が、四辺形状、略扇状、或いは矩形の一部が欠けた形状となっている。いずれのブロック部においても頂部は略平坦面となっている。
【００３３】
第１の面２０ａは、縦溝部２７と横溝部２８とにより区画形成される複数の凸部状のブロック部を有する。吸収性コア２０は、第１の面２０ａに、坪量分布等に起因する凹凸構造を有する。坪量は剛性と相関を有するため、坪量分布を調整することで、装着時に付加される外力に対する吸収性コア２０の変形を制御することができる。
【００３４】
中間コア部２２は、高坪量部２４と、一対の低坪量部２５と、を含む。図４では、高坪量部２４を密のドットパターンで示し、低坪量部２５を粗のドットパターンで示している。
中間コア部２２に配置されるブロック部のうち、中央２列に配列されるブロック部群により高坪量部２４が構成される。高坪量部２４の両側方にそれぞれ１列ずつ配列されるブロック部群により低坪量部２５が構成される。
高坪量部２４は、低坪量部２５に対して坪量が高い。
高坪量部２４は、装着時に装着者の排泄領域に対向するように配置され得る。
【００３５】
図４に示すように、第１の面２０ａは、前方コア部２１に位置する前方構造面５１と、中間コア部２２に位置する受液面５２と、後方コア部２３に位置する後方構造面５３とを有する。前方構造面５１は、受液面５２と隣接する。後方構造面５３は、受液面５２と隣接する。
吸収性コア２０は、受液面５２の幅Ｄ２が前方構造面５１の幅Ｄ１と後方構造面５３の幅Ｄ３よりも狭い括れ形状を有する。
【００３６】
前方構造面５１及び後方構造面５３は、平坦な面に複数の溝部が形成された形状となっている。
受液面５２では、高坪量部２４が、低坪量部２５、前方コア部２１及び後方コア部２３から厚み方向上方に突出する形状となっている。高坪量部２４及び低坪量部２５はそれぞれ平坦な面に複数の溝部が形成された形状となっている。なお、図３の形態に代えて、高坪量部２４がＺ方向下方に突出する形態であってもよい。その場合、下着に貼り付けた脚に裏面シートを介して下方に突出した凸構造が上方へ押し上げられ、図３の形態と同様の構造となる。
【００３７】
吸収性コア２０において、溝部が形成されている領域、すなわち溝部を形成する底部は、溝部が形成されていないブロック部の領域と比較して、相対的に厚みが薄くなっている。
吸収性コア２０の厚みと坪量は相関関係にある。溝部を形成する底部は、ブロック部と比較して、相対的に坪量が低くなっている。これにより、溝部の底部は、ブロック部と比較して剛性が低くなる。したがって、吸収性コア２０に対して外力が加わったとき、溝部を変形起点として吸収性コア２０は変形しやすくなっている。
なお、変形し易さの観点からは、各溝部は、その周囲のブロック部よりも吸収性材料の坪量が小さいことが望ましい。
ここで「低坪量」とは、吸収性コアの材料が存在する形態の他、吸収性コアの材料が存在しない形態も含む概念である。しかしながら、吸収性コアの材料が存在する形態の方が、各溝部を介してその両側に位置する吸収性コアのブロック状部位が接続されているため、吸収性コアが動きによってヨレ・破壊・千切れ等を生じ難く、かつ柔軟性を付与することが出来るためより好ましい。
【００３８】
本実施形態において、各溝部は、溝部を構成する底部における溝幅と溝部の開口部における溝幅とがほぼ同じである。溝部の底部は第２の面２０ｂにほぼ平行に位置する。溝部を形成する溝部の側面は底部に対してほぼ垂直である。以下で説明する溝部の幅は、溝部の開口部における幅を示す。
【００３９】
尚、ここでは、溝部が、溝部の長手方向に直交する断面が略矩形状の例をあげて説明するが、これに限定されない。例えば底部から開口部に向かって幅が広がっていくテーパ状の側面を有する断面がＶ字形状或いは台形状の溝部であってもよい。このような場合においても、吸収性コア２０において、溝部が形成される領域は溝部が形成されない領域と比較して、坪量が低くなり、剛性が低くなる。例えば断面形状がＶ字形状或いは台形状の溝部の場合、溝部の幅は、開口部における幅を示す。
【００４０】
（受液面の構成）
次に、中間コア部２２に対応する受液面５２に配置される縦溝部及び横溝部について詳細に説明する。
中間コア部２２の高坪量部２４は、中間コア部２２の幅方向の中央部に形成される。高坪量部２４は、中間コア部２２の長手方向全長にわたって延びる。ここで、「幅方向の中央部」とは、吸収性物品を幅方向に二等分する中心線を含む、側方部よりも中央側に位置する領域のことであり、中間コア部２２では装着者の排泄部と対向する部分を含む領域を指し、後方コア部２３では臀裂６１と対向する部分を含む領域を指している。
【００４１】
受液面５２は、２つの第４の溝部としての第４の縦溝部２７４と、１つの第５の溝部としての第５の縦溝部２７５と、複数の横溝部２８とを有する。第４の縦溝部２７４と第５の縦溝部２７５とは幅寸法が同じ幅狭の細縦溝部である。
【００４２】
２つの第４の縦溝部２７４は、互いに離間し幅方向に配列される。第４の縦溝部２７４は、長手方向に延びる直線部と、直線部を介して対向して位置する両端部が受液面５２の幅方向における中央に向かって湾曲した湾曲部を有する。
第４の縦溝部２７４は、幅方向に、第５の縦溝部２７５を介して対向配置され、第５の縦溝部２７５の両側に１つずつ配列される。
【００４３】
２つの第４の縦溝部２７４により環状の溝部が形成される。この環状の溝部により囲まれた領域が高坪量部２４に相当する。高坪量部２４は、第４の縦溝部２７４、第５の縦溝部２７５及び横溝部２８とにより区画形成された、中央２列に配置される１０個のブロック部群からなる。
【００４４】
２つの第４の縦溝部２７４により、周囲の変形の影響を受けて高坪量部２４が変形することを抑制することができるとともに、中間コア部２２の形状を保持させ、吸収量を担保することができる。
【００４５】
１つの第５の縦溝部２７５は、２本の第４の縦溝部２７４の中央に配列され、中間コア部２２の長手方向に延びる。第５の縦溝部２７５は、受液面５２の幅方向の中央部に位置する。第５の縦溝部２７５は、高坪量部２４の内部に長手方向に沿って配列される。
【００４６】
（後方構造面の構成）
次に、後方構造面５３に配置される縦溝部及び横溝部について詳細に説明する。吸収性コア２０は、２種類の幅寸法の縦溝部を有する。相対的に幅の広い縦溝部を太縦溝部、幅の狭い縦溝部を細縦溝部と称する。
【００４７】
後方構造面５３に配列される縦溝部２７に関して、太縦溝部を第２の縦溝部２７２と称し、細縦溝部を第１の縦溝部２７１と称する。尚、第１の縦溝部２７１と第２の縦溝部２７２を特に区別する必要がない場合、いずれも縦溝部２７と称する。
【００４８】
本実施形態において、後方コア部２３には等間隔の配列ピッチで５つの縦溝部２７が配列されており、５つの縦溝部２７のうち中央部に位置する３つの縦溝部２７を太縦溝部（第２の縦溝部２７２）とし、左右両側にある縦溝部２７を細縦溝部（第１の縦溝部２７１）とすることにより、後方コア部２３の幅方向における剛性分布を調整している。ここで配列ピッチとは、隣接する縦溝部の中心間距離のことである。
【００４９】
後方構造面５３は、２つの第１の溝部としての第１の縦溝部２７１と、３つの第２の溝部としての第２の縦溝部２７２と、複数の横溝部２８とを有する。
第２の縦溝部２７２は、第１の縦溝部２７１よりも幅広の溝部である。第２の溝部２７２は、第１の溝部２７１よりも幅方向の中央側に設けられる。
【００５０】
図４に示すように、後方構造面５３は、幅方向に３分割された、中央部２３７、中央部２３７の幅方向外方に位置する両側方部となる第１の側方部２３８及び第２の側方部２３９を有する。
【００５１】
３つの第２の縦溝部２７２は、中央部２３７に配列される。３つの第２の縦溝部２７２のうち真中の第２の縦溝部２７２は幅方向の中央に配列される。
２つの第１の縦溝部２７１は、第１の側方部２３８及び第２の側方部２３９それぞれに１つずつ配列される。
【００５２】
このように、本実施形態では、中央部２３７に幅広の第２の縦溝部２７２が３つ、第１の側方部２３８及び第２の側方部２３９それぞれに幅狭の第１の縦溝部２７１が１つずつ配列されるので、中央部２３７は、両側方部２３８、２３９と比較して、吸収性コア２０の厚みが薄い領域が多くなるため、曲げ方向の剛性が低くなる。従って、ナプキン１が装着されて吸収性コア２０に外力が加わったとき、後方コア部２３では、中央部２３７が両側方部２３８、２３９よりも優先的に変形しやすくなる。
【００５３】
後方構造面５３は、横溝部２８と、第１の縦溝部２７１と、第２の縦溝部２７２とにより、長手方向に６行、幅方向に６列に区画された、計３６個のブロック部を有する。
【００５４】
後方構造面５３の中央部２３７には、３つの第２の縦溝部２７２と横溝部２８により区画された２列のブロック部群が配置される。これら２列のブロック部群の各ブロック部の幅方向の寸法は、他の列のブロック部群の各ブロック部の幅方向の寸法よりも短い。後方構造面５３の両側方部２３８及び２３９に位置するブロック部群の各ブロック部の幅方向の寸法はほぼ同じである。ここで、ブロック部における寸法とは、ブロック部の四辺形状の頂部における寸法である。
【００５５】
なお、後方構造面５３の両側方部２３８及び２３９に位置するブロック部群の各ブロック部の幅方向寸法は同じでなくても良い。例えば、図１４に示す吸収性コア１０２０のように、両側方部２３８及び２３９それぞれにおいて、幅方向に関して、中央側に位置するブロック部の幅寸法が側方側に位置するブロック部の幅寸法より小さくても良い。
【００５６】
図１４は、一変形例としての吸収性コア１０２０の部分平面図であり、後方コア部２３の後方構造面５３に配列される溝部の形態を示す。図１４に示す吸収性コア１０２０は、図４に示す吸収性コア２０と比較して、第１の縦溝部２７１と第２の縦溝部２７２の配列ピッチのみが異なる。
【００５７】
吸収性コア１０２０は、吸収性コア２０と同様に、幅方向の中央部２３７に配列された２列のブロック部群の各ブロック部は、他のブロック部よりも大きさが小さい。つまり、幅方向の中央部２３７に位置するブロック部は、側方部２３８、２３９に位置するブロック部よりも小さい。
幅方向の中央部２３７に配列された２列のブロック部群の各ブロック部は、互いに隣り合う２つの第２の溝部２７２と横溝部２８とで形成される。
【００５８】
吸収性コア１０２０では、中央２列のブロック部群を介して両側にそれぞれ２列のブロック部群が配列する。この２列のブロック部群は、両側方部２３８、２３９にそれぞれ位置する。この両側方部２３８、２３９にそれぞれ位置する２列のブロック部群において、幅方向の中央部近くに位置する１列のブロック部群の各ブロック部は、幅方向の側端近くに位置する１列のブロック部群の各ブロック部よりも小さい。
【００５９】
両側方部２３８、２３９にそれぞれ配列する２列のブロック部群の各ブロック部は、少なくとも第１の縦溝部２７１と横溝部２８とにより形成される。詳細には、幅方向の側端近くに位置する１列のブロック部群の各ブロック部は、後方構造面５３の側端部と第１の縦溝部２７１と横溝部２８とにより形成される。幅方向の中央部近くに位置する１列のブロック部群の各ブロック部は、互いに隣り合う第１の縦溝部２７１及び第２の縦溝部２７２と、横溝部２８とにより形成される。
【００６０】
図１４に示す吸収性コア１０２０においては、後方コア部２３の幅方向の中央から側端に向かって徐々にブロック部が大きくなっている。
【００６１】
横溝部２８は、後方構造面５３の各ブロック部の長手方向に延びる辺の寸法がいずれも同じとなるように、後方構造面５３において等間隔に配列される。
後方構造面５３に配列される複数の横溝部２８の幅はいずれも同じである。
吸収性コア２０の第１の面２０aに配列される複数の横溝部２８のうち、前方構造面５１と受液面５２との境界に配列される横溝部２８２と、受液面５２と後方構造面５３との境界に配列される第３の溝部としての横溝部２８３は、他の横溝部２８よりも幅広であり、太縦溝部である第２の縦溝部２７２よりも幅狭である。
ここでは、前方構造面５１と受液面５２との境界に配列される横溝部に符号２８２を付し、受液面５２と後方構造面５３との境界に配列される横溝部に符号２８３を付して説明したが、他の横溝部２８と特に区別する必要がない場合は単に横溝部２８と称する。
【００６２】
第１の縦溝部２７１は、受液面５２の幅Ｄ２を規定する両側縁部４１及び４２それぞれの延長線４３及び４４上、または、前記延長線よりも内側に位置する。
【００６３】
上述の吸収性コア２０は、典型的には、パルプ繊維と吸収性ポリマーとを混合積繊した混合積繊体である。
吸収性コア２０に含まれる親水性繊維としては、例えば、パルプ繊維、レーヨン繊維、コットン繊維、酢酸セルロース等のセルロース系の親水性繊維、ポリエチレン、ポリプロピレン等のポリオレフィン系繊維、ポリエステル、ポリアミド等の縮合系繊維等から選ばれる１種又は２種以上を用いることができる。
吸収性コア２０に含まれる吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸等から選ばれる１種又は２種以上を用いることができる。
【００６４】
上述の後方構造面５３に凹凸構造を有する吸収性コア２０は、例えば外周面に集積用凹部を有する積繊ドラムを備える積繊装置を用いて製造することができる。積繊装置では、積繊ドラムの外周面にパルプ繊維等のコア材料を供給することにより、集積用凹部内にコア材料を堆積させる。この堆積してなる積繊体を集積用凹部から離型することによって吸収性コアを得ることができる。
【００６５】
［本実施形態の作用効果］
図５は、本実施形態のナプキン１を着用した際の装着者の臀部６０の臀裂６１とナプキン１の後方領域Ｍ３の変形状態との関係を説明する模式図である。
【００６６】
吸収性コア２０の後方コア部２３は、複数の第１の縦溝部２７１と、第１の縦溝部２７１よりも幅広の複数の第２の縦溝部２７２とを含む後方構造面５３を有する。第２の縦溝部２７２は後方コア部２３の幅方向の中央部２３７に配列される。
【００６７】
これにより、第２の縦溝部２７２が配列される中央部２３７は、第１の縦溝部２７１が配列される部分よりも曲げ方向の剛性が低くなる。したがって、ナプキン１が装着者により装着された際、後方コア部２３において、幅広の第２の縦溝部２７２が配列される中央部２３７は、第２の縦溝部２７２を変形起点として、幅狭の第１の縦溝部２７１が配列される部分よりも優先的に第１の面２０ａ側に突出するように変形しやすい。そして、図５に示すように、後方コア部２３の中央部２３７は臀裂６１に沿うように肌側に突出するように変形するので、装着者の臀裂と吸収性物品との間の隙間が小さくなる。よって、装着者の排泄領域から排泄された経血等の液状物が後方部に流れ出てきても、吸収性コア２０に速やかに吸収され、後方部における液漏れが抑制される。
【００６８】
更に、幅狭の第１の縦溝部２７１が後方コア部２３の両側方部にそれぞれ配列されているので、第１の側方部２３８及び第２の側方部２３９は、優先的に変形する中央部２３７に追従し、臀部の膨らみに沿って変形しやすい。これにより、臀部と吸収性物品との間の隙間が小さくなり、フィット性が向上し、後方部の漏れ、特に横漏れが抑制される。
【００６９】
また、第１の側方部２３８及び第２の側方部２３９は中央部２３７と比較して曲げ方向の剛性が高く変形しにくくなっているので、吸収性コア２０の中央部２３７が臀裂６１に沿うように変形しても、中央部２３７の変形に連動して第１の側方部２３８及び第２の側方部２３９が変形しすぎることが抑制される。これにより、ナプキン１の装着時の吸収性コア２０の後方コア部２３におけるヨレが抑制される。
【００７０】
また、中央部２３７は、第１の側方部２３８及び第２の側方部２３９よりも優先的に変形するので、ナプキン１が装着される際、側方部が先に変形してナプキン１がよれることを抑制することができる。
【００７１】
このように、本実施形態のナプキン１は、その後方領域が臀裂を含む臀部の形状に沿って変形しやすく、更に、ヨレの抑制が可能となっている。これにより、装着者の経血等の液状物がナプキン１の後方コア部２３に流れ出ても臀裂６１に沿って変形した吸収体１１に速やかに吸収され漏れが抑制できる。さらにナプキン１がよれることによる液漏れが抑制される。特に、就寝時に装着者により仰向けの体勢でナプキンが装着される場合、液状物は背中側の後方に流れやすいため、本実施形態のナプキン１は夜間の後方の液漏れを抑制するのに有効である。
【００７２】
また、本実施形態では、後方コア部２３の幅方向の中央部２３７に幅広の第２の縦溝部２７２が複数配置されるので、後方コア部２３において変形起点が複数存在することになる。これにより、後方コア部２３にける相対的に変形が大きくなる領域を幅方向で広くすることができる。
【００７３】
従って、例えば幅方向にずれてナプキン１が装着されても、複数の第２の縦溝部２７２のうちいずれかが変形起点となって、後方コア部２３の中央部２３７は臀裂６１に沿った形状に変形される。これにより、ナプキン１と肌との間に隙間が生じにくく、液漏れが抑制される。
【００７４】
また、本実施形態では、縦溝部２７の他に横溝部２８が配置されるので、ナプキン１の長手方向において、装着者の装着対象部位の形状に沿って変形しやすく、フィット性が向上する。
【００７５】
また、本実施形態では、図４に示すように、後方コア部２３において、第１の縦溝部２７１は、中間コア部２２の最小幅である幅Ｄ２を規定する対向する両側縁部４１及び４２それぞれの延長線４３及び４４よりも内側に位置する、又は、延長線４３及び４４上に位置する。
【００７６】
このように、延長線４３及び４４上、または、前記延長線４３及び４４よりも内側に、太縦溝部ではなく細縦溝部である第１の縦溝部２７１を設けることにより、太縦溝部を設ける場合と比較して、ナプキン装着時に、後方フラップ部Ｆが折れ込みにくい。
【００７７】
すなわち、ナプキン装着時、後方コア部２３の太縦溝部である第２の縦溝部２７２が配置される中央部２３７が、延長線４３及び４３上、または、前記延長線よりも内側に位置する第１の縦溝部２７１が配置される部分よりも優先的に変形しやすいと共に、延長線４３より外側で幅方向内側へ折れにくくなっているので、後方フラップ部Ｆが表面シート１２側に折り込まれるように変形するのが抑制される。
【００７８】
また、本実施形態では、中間コア部２２と後方コア部２３との間に第３の溝部としての横溝部２８３が配列される。
横溝部２８３を設けることにより、ナプキン１が装着され、吸収性コア２０の後方コア部２３の中央部２３７が第２の縦溝部２７２を起点に臀裂に沿って変形した際に、後方コア部２３における変形に連動して高坪量部２４が変形するのが抑制される。したがって、高坪量部２４の変形による液漏れを抑制することができる。
【００７９】
［本実施形態の追加説明］
以下、本実施形態の説明を補足する。
【００８０】
（溝部の幅の測定方法）
溝部の幅は、溝部の開口部における幅を測定することにより求める。吸収性コアを水平に置き、マイクロスコープ（ＫＥＹＥＮＣＥ社製ＶＨＸ−１０００）により測定倍率を調整して第１の面２０ａを拡大することで、開口幅を測定する。
或いは、フェザー社製片刃剃刀を用いて吸収性コア２０を切断し、切断されたサンプルの断面を、マイクロスコープ（ＫＥＹＥＮＣＥ社製ＶＨＸ−１０００）を用いて２０〜１００倍の倍率で観察し、溝幅を測定してもよい。
【００８１】
（吸収性コアの各部の坪量の測定方法）
測定対象である吸収性コア２０の各部をフェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００８２】
（吸収性コアの各部の厚みの測定方法）
測定対象である吸収性コアの厚みの測定は、各々の部位について坪量を測定するために切り出した小片の厚みを測定することで行う。吸収性コアより切り出した小片を５ｋＰａの圧力で１０分間加圧し、除重後すぐに測定を行う。除重後のサンプルの中央域に、大きさ２０ｍｍ×２０ｍｍ、厚み３ｍｍのアクリルプレートを置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００８３】
（各構成の数値例）
上記吸収性コアの数値例について説明する。尚、ここに記載する数値に限定されない。太縦溝部及び細縦溝部の幅は、吸収性コアの幅、溝部の深さ、溝部の底部及びブロック部の厚みに応じて適宜設定され得る。溝部の底部及びブロック部の厚みは坪量と相関関係にある。溝部の底部及びブロック部の厚み、坪量は、装着者に違和感を与えにくい適度な厚みで快適な装着感を提供しつつ十分な吸収量が得られるように適宜設定される。
【００８４】
細縦溝部である第１の縦溝部２７１の幅ａは、後方部が臀部に沿って柔らかく変形し易くするために、好ましくは０．５ｍｍ以上２．５ｍｍ以下であり、より好ましくは１ｍｍ以上２ｍｍ以下である。本実施形態においては、第１の縦溝部２７１の幅ａを１．５ｍｍとした。
【００８５】
太縦溝部である第２の縦溝部２７２の幅ｂは、中央部が臀部に沿いやすく湾曲し易く、かつ、十分な強度を有するために、好ましくは２．５ｍｍ以上５．５ｍｍ以下であり、より好ましくは３ｍｍ以上５ｍｍ以下である。本実施形態においては、例えば第２の縦溝部ｂの幅を４ｍｍとした。
【００８６】
細縦溝部である第１の縦溝部２７１の幅ａと、太縦溝部である第２の縦溝部２７２の幅ｂとの差は、上述した効果を一層発現しやすくする観点から、好ましくは１．５ｍｍ以上３．５ｍｍ以下であり、より好ましくは２ｍｍ以上３ｍｍ以下である。
【００８７】
中間コア部２２と後方コア部２３との境界に配列される、言い換えると、高坪量部２４と後方コア部２３との間にＹ軸方向に延びて配列される、横溝部２８３の幅ｃは、１．５ｍｍ以上３．５ｍｍ以下であって、更に好ましくは２．０ｍｍ以上３．０ｍｍ以下である。本実施形態においては、横溝部２８３の幅ｃを２．５ｍｍとした。
【００８８】
後方コア部２３の幅Ｄ３は、好ましくは６０ｍｍ以上１００ｍｍ以下、より好ましくは７０ｍｍ以上９０ｍｍ以下であり、本実施形態では８０ｍｍとした。
後方コア部２３に配列される縦溝部２７の配列ピッチは、例えば１１ｍｍ以上１５ｍｍ以下であり、本実施形態では１３ｍｍとした。
【００８９】
第１の縦溝部２７１、第２の縦溝部２７２及び横溝部２８の溝深さｄ１は、１．５ｍｍ以上６．０ｍｍ以下であり、本実施形態においては４ｍｍとした。溝深さとは、ブロック部の頂部と同一平面上に位置する溝部の開口部から底部までの距離を示す。
【００９０】
横溝部２８及び縦溝部２７の底部の厚みは、例えば０．５ｍｍ以上６．０ｍｍ以下である。横溝部２８及び縦溝部２７の底面の坪量は、例えば２５ｇ／ｍ２以上３００ｇ／ｍ２以下である。
後方コア部２３のブロック部の厚みは、例えば２ｍｍ以上１０ｍｍ以下である。後方コア部２３のブロック部の坪量は、例えば１００ｇ／ｍ２以上５００ｇ／ｍ２以下である。
【００９１】
中間コア部における第４の縦溝部２７４の幅ｅ及び第５の縦溝部２７５の幅ｇは、好ましくは０．５ｍｍ以上１０ｍｍ以下であり、更に好ましくは１ｍｍ以上５ｍｍ以下である。本実施形態では、第４の縦溝部２７４及び第５の縦溝部２７５の幅を１．５ｍｍとした。
【００９２】
第４の縦溝部２７４及び第５の縦溝部２７５の溝深さは、好ましくは０．５ｍｍ以上１０ｍｍ以下であり、更に３ｍｍ以上５ｍｍ以下が好ましく、例えば４ｍｍである。第４の縦溝部２７４の溝深さは、低坪量部２５のブロック部の頂部と同一平面上に位置する第４の縦溝部２７４の開口部から底部までの距離である。
低坪量部２５の内部に配列される横溝部２８の溝深さも同様に好ましくは０．５ｍｍ以上１０ｍｍ以下であり、更に３ｍｍ以上５ｍｍ以下が好ましく、例えば４ｍｍである。
【００９３】
低坪量部２５の厚みは、例えば２ｍｍ以上１２ｍｍ以下、好ましくは、３ｍｍ以上１０ｍｍ以下である。低坪量部２５の底面の坪量は、例えば１００ｇ／ｍ２以上７００ｇ／ｍ２以下であり、好ましくは、２００ｇ／ｍ２以上６００ｇ／ｍ２以下である。
高坪量部２４の厚みは、例えば３ｍｍ以上１５ｍｍ以下であり、好ましくは５ｍｍ以上１３ｍｍ以下である。低坪量部２５の底面の坪量は、例えば４００ｇ／ｍ２以上１０００ｇ／ｍ２以下であり、好ましくは、５００ｇ／ｍ２以上９００ｇ／ｍ２以下である。
高坪量部２４におけるブロック部の厚みと低坪量部２５におけるブロック部の厚みの差は１ｍｍ以上３ｍｍ以下が好ましく、本実施形態においては例えば２ｍｍである。
【００９４】
＜他の実施形態＞
後方コア部の後方構造面に配列される溝部の形態は第１の実施形態に限定されない。
以下、他の実施形態例として、第２〜第８の実施形態を例にあげて説明する。
【００９５】
以下の実施形態に示す吸収性コアはいずれも、第１の実施形態の吸収性コア２０と同様に、厚み方向に沿って相互に対向する第１の面と第２の面とを有し、吸収性コアを組み込んでナプキンとしたときに、表面シートが配置される側の第１の面に溝部を有する。
各実施形態の説明で用いる吸収性コアの平面図は、溝部が配列される第１の面側の平面図に相当する。
【００９６】
各実施形態に示す吸収性コアはいずれも、第１の実施形態の吸収性コア２０と、後方コア部に太縦溝部と細縦溝部が配列される点、後方コア部の幅方向の中央部に太縦溝部が配列される点、溝部が線対称で配列される点で共通する。
【００９７】
このような吸収性コアが組み込まれたナプキンは、装着された際、太縦溝部が変形起点となり、後方コア部の中央部が、他の部分よりも優先的に変形し、第１の面側に突出するように変形しやすい構造となる。
【００９８】
したがって、図５に示すように、太縦溝部を変形起点として後方コア部２３の中央部２３７が肌に向かって突出するように変形し、ナプキンが臀裂６１に沿うように変形しやすくなる。これにより、臀裂６１とナプキンとの隙間を小さくすることができ、ナプキンの後方での液漏れが抑制される。
【００９９】
更に、以下の各実施形態では、細縦溝部が後方コア部２３の両側方部に配列されているので、両側方部は、両側方部よりも優先的に変形する中央部に追従し、臀部の膨らみに沿って変形する。これにより臀部と吸収性物品との間の隙間が小さくなり、後方部の漏れ、特に横漏れが抑制される。
【０１００】
以下、各実施形態において、第１実施形態と異なる構成を主に説明し、同様の構成については同様の符号を付し、その説明を省略する。
【０１０１】
＜第２の実施形態＞
図６は、第２の実施形態の吸収性コア１２０の後方コア部２３の部分拡大平面図である。
図６に示すように、後方コア部２３の幅方向Ｙの中央に太縦溝部である第２の縦溝部２７２が１つ配列される吸収性コア１２０としてもよい。この第２の縦溝部２７２は、長手方向に沿って幅が変化することなく、前方コア部２１、中間コア部２２、後方コア部２３を通って吸収性コア１２０の全長を縦断するように配列されてもよい。
細縦溝部である第１の縦溝部２７１は、幅方向に、第２の縦溝部２７２を介して両側にそれぞれ２つずつ配列される。尚、細溝の本数はこれらに限定されない。また、第２の縦溝部２７２は幅方向の中央から側方方向へ僅かにずれることも許容される。
【０１０２】
＜第３の実施形態＞
図７に示すように、後方コア部２３の幅方向の中央部に配列される３つの太縦溝部である第２の縦溝部２７２の幅が異なる吸収性コア２２０にしてもよい。幅方向における中央に配置される３つの第２の縦溝部のうち真中にある第２の縦溝部２７２は、その両側にそれぞれ１つずつ位置する第２の縦溝部２７２より幅広である。両側にある第２の縦溝部２７２は互いに幅が等しい。
【０１０３】
一対の細縦溝部である第１の縦溝部２７１は、幅方向に第２の縦溝部２７２を介して対向して配列される。第２の縦溝部２７２は、第１の縦溝部２７１よりも幅広である。
【０１０４】
このように、後方コア部２３の幅方向の中央部に複数の太縦溝部を複数設ける際、太縦溝部の幅がそれぞれ異なっていてもよい。複数の幅の異なる太縦溝部を設ける場合、これら太縦溝部のうち最も幅の広い太縦溝部が後方コア部２３の中央に位置するように配列することが更に望ましい。これにより最も幅の広い太縦溝部が変形起点となりやすい。
【０１０５】
また、吸収性コア２２０の後方コア部２３は、太縦溝部の幅を異ならせることにより、Ｙ軸方向における中央部の剛性が最も低くなり、中央部から側縁部に向かって段階的に剛性が高くなる。このように、後方コア部２３における変形度合いをＹ軸方向で変化させることにより、臀部へのフィット性が向上する。これにより、臀部とナプキンとの隙間を小さくすることができ、漏れ、特に横漏れが抑制される。
【０１０６】
＜第４の実施形態＞
図８に示すように、横溝部を設けず、縦溝部だけを有する吸収性コア３２０としてもよい。吸収性コア３２０の後方コア部２３には、幅方向の中央部に太縦溝部である長手方向に延びる第２の縦溝部２７２が３つ配列される。細縦溝部である第１の縦溝部２７１は、３つの第２の縦溝部２７２を介して両側に配置される。
【０１０７】
＜第５の実施形態＞
図９に示すように、後方コア部２３の幅方向の中央部に、２つの太縦溝部である第２の縦溝部２７２が配列される吸収性コア４２０としてもよい。第２の縦溝部２７２は、２つの第２の縦溝部２７２の中間が後方コア部２３の幅方向における中央に位置するように配列される。細縦溝部である第１の縦溝部２７１は２つの第２の縦溝部２７２を挟むように両側に配列される。
【０１０８】
＜第６の実施形態＞
図１０に示すように、後方コア部２３に、後方コア部２３の長手方向における全長に満たない長さの複数の太縦溝部である第２の縦溝部２７２が配列される吸収性コア５２０としてもよい。第１の縦溝部２７１は、３つの第２の縦溝部２７２を挟むように両側に配列される。このように、後方コア部２３に配列される太縦溝部が、後方コア部２３の長手方向における全長を縦断せず、長さが中間コア部２２まで達していなくてもよく、また、吸収性コア５２０の後端部に達していなくてもよい。
【０１０９】
＜第７の実施形態＞
図１１は、本実施形態の吸収性コア６２０の平面図である。
図２は、吸収性コア６２０が組み込まれたナプキン６０１の平面図である。
図１２は、吸収性コア６２０が組み込まれたナプキン６０１の中間コア部２２の断面図であり、図２に示すナプキン６０１のXII−XII線で切断した断面図である。
【０１１０】
第１の実施形態の吸収性コア２０では、第４の縦溝部２７４と第５の縦溝部２７５とは同じ幅寸法を有し、高坪量部２４の内部に配列される第５の縦溝部２７５は幅狭の細縦溝部であった。
これに対し、本実施形態の吸収性コア６２０では、高坪量部２４の内部に配列される第５の縦溝部２７５は幅広の太縦溝部である。第５の縦溝部２７５は、高坪量部２４の周囲に設けられた第４の縦溝部２７４よりも幅広である。尚、吸収性コア６２０の後方コア部２３における構成は、第１の実施形態の吸収性コア２０の後方コア部２３と同様である。
【０１１１】
以上のように、本実施形態では、高坪量部２４の内部に、高坪量部２４の周囲に設けられた第４の縦溝部２７４よりも幅広の第５の縦溝部２７５を配列させている。
これにより、装着者によりナプキンが後ろよりに装着され、中間コア部２２が装着者の臀裂に対応して位置しても、第５の縦溝部２７５を変形起点として、高坪量部２４が優先的に肌に向かって突出するように変形する。従って、ナプキンが臀裂に沿うように変形し、臀裂とナプキンとの間の隙間を小さくすることができ、後方の液漏れを抑制することができる。
【０１１２】
本実施形態における細縦溝部である第４の縦溝部の幅ｅは、第１の実施形態で説明した第４の縦溝部の幅ｅと同じである。
第５の縦溝部２７５の幅ｇは、好ましくは１ｍｍ以上１０ｍｍ以下であって、更に好ましくは１ｍｍ以上５ｍｍ以下である。本実施形態では、第５の縦溝部２７５の幅ｇを３ｍｍとした。第５の縦溝部２７５の幅ｇは、第４の縦溝部２７４の幅ｅよりも０．５ｍｍ以上５ｍｍ以下大きいことが好ましく、１ｍｍ以上３ｍｍ以下大きいことがより好ましい。
【０１１３】
図１２に示すように、第５の縦溝部２７５における溝深さｄ２は、好ましくは０．５ｍｍ以上１０ｍｍ以下であり、更に４ｍｍ以上７ｍｍ以下が好ましく、例えば６ｍｍである。第５の縦溝部２７５の溝深さは、高坪量部２４の頂部と同一平面上に位置する第５の縦溝部２７５の開口部から底部までの距離である。
一方、第４の縦溝部２７４の溝深さｄ３は、第１の実施形態で説明した第４の縦溝部２７４の溝深さと同じであり、例えば４ｍｍである。
高坪量部２４の内部に配列される横溝部２８の溝深さも同様に４ｍｍ以上７ｍｍ以下が好ましく、例えば６ｍｍである。
【０１１４】
＜第８の実施形態＞
図１３は、本実施形態における吸収性コア７２０の平面図である。
【０１１５】
第１の実施形態の吸収性コア２０では、中間コア部２２の最小幅である幅Ｄ２を規定する対向する両側縁部４１及び４２それぞれを後方コア部２３まで延長した延長線４３及び４４上、または、延長線よりも内側に第１の縦溝部２７１が配列されていた。
【０１１６】
これに対し、本実施形態においては、後方コア部２３の、中間コア部２２の最小幅である幅Ｄ２を規定する両側縁部４１及び４２の延長線４３及び４４よりも外側に第１の縦溝部２７１が配列される。延長線４３及び４４上には溝部が配列されない。
【０１１７】
このように、延長線４３及び４４で挟まれた領域より外側の領域に細縦溝部である第１の縦溝部２７１を設けることにより、太縦溝部を設ける場合と比較して、ナプキン装着時に、後方フラップ部Ｆが折れ込みにくい。
【０１１８】
すなわち、ナプキン装着時、吸収性コア２０の後方コア部２３の第２の縦溝部２７２が配列される幅方向における中央部が、延長線４３及び４４に挟まれた領域の外側の領域に位置する第１の縦溝部２７１が配列される部分よりも優先的に変形するので、後方フラップ部Ｆが表面シート１２側に折り込まれるように変形するのが抑制される。
【０１１９】
以上、本発明の各実施形態について説明したが、本発明は上述の実施形態にのみ限定されるものではなく、本発明の要旨を逸脱しない範囲内において種々変更を加え得ることは勿論である。例えば本発明の実施形態は各実施形態を組み合わせた実施形態とすることができる。
【０１２０】
例えば、上述の各実施形態の吸収性コアは、中間コア部で括れを有する平面形状を有していたが、括れのない平面形状の吸収性コアとしてもよい。
【０１２１】
更に他の実施形態として、後方コア部の幅方向の中央部に細縦溝部と太縦溝部が混在して幅方向に配列され、中央部を介して幅方向に沿って対向する一対の側方部それぞれに細縦溝部が配列される吸収性コアとしてもよい。
【０１２２】
具体的には、例えば、後方コア部の中央部に幅方向に沿って長手方向に延びる３つの太縦溝部と２つの細縦溝部が配列される。中央部において、幅方向の中央に１つの太縦溝部が配列され、この太縦溝部の両側にそれぞれ１つずつ細縦溝部が配列され、これら１つの太縦溝部と２つの細縦溝部を介して、その両側に１つずつ太縦溝部が配列される。
このような構成の吸収性コアは、中央部に太縦溝部が設けられるので、中央部は側方部と比較して剛性が低くなる。したがって、装着されたときに、吸収性コアの中央部は臀裂に沿って変形しやすくなる。
【０１２３】
また、上述の各実施形態の吸収性コアの受液面は高坪量部と低坪量部とを有する。これに対し、他の実施形態として、受液面を、面内で均一な坪量となるように構成してもよい。
また、上述の実施形態においては、受液面の低坪量部のブロック部の坪量と、前方構造面及び後方構造面のブロック部の坪量とを同じとしたが、他の実施形態として、異ならせても良い。
【０１２４】
また、上述の各実施形態の吸収性コアの後方コア部においては、ブロック部と溝部の底部との坪量が異なる場合を例にあげて説明したが、これに限定されず、例えばブロック部と溝部の底部の坪量が等しくてもよい。少なくとも溝部の底部の厚みがブロック部の厚みより薄ければよく、これにより溝部が配列される領域はブロック部が位置する領域よりも変形しやすい。
【０１２５】
また、上述の実施形態では、積繊装置を用いて後方構造面に凹凸構造を有する吸収性コアを製造する例をあげたが、これに限定されない。例えば面内の厚みがほぼ均一な略平坦面を有する吸収性コアの一方の面に部分的に押圧して溝部を形成して、凹凸構造を有する吸収性コアを製造してもよい。
【０１２６】
また、以上の各実施形態では、吸収性物品として生理用ナプキンの例を示したが、これに限定されない。本発明の吸収性物品は、例えば、失禁パットやおりものシート、使い捨ておむつ等であってもよい。
【０１２７】
上述した実施形態に関し、本発明はさらに以下の吸収性物品を開示する。
【０１２８】
＜１＞  長手方向の両端部側に位置する前方コア部及び後方コア部を有する吸収性コアを具備し、前記後方コア部は、前記長手方向に直交する幅方向に配列され前記長手方向に延びる複数の第１の溝部と、前記第１の溝部よりも前記幅方向の中央側に設けられ、前記長手方向に延び、前記複数の第１の溝部よりも幅広の単数又は複数の第２の溝部と、を含む構造面を有する、吸収性物品。
＜２＞  前記＜１＞に記載の吸収性物品であって、前記第２の溝部は、前記幅方向の中央部に少なくとも３つ配列され、前記第１の溝部は、前記中央部の幅方向外方に位置する両側方部に少なくとも１つずつ配列される、吸収性物品。
＜３＞  前記＜１＞又は＜２＞に記載の吸収性物品であって、前記吸収性コアは、前方コア部及び後方コア部の間に位置する中間コア部を更に有し、前記中間コア部は、前記構造面に隣接する受液面を有し、前記受液面は、前記幅方向の中央部に設けられた高坪量部と、前記高坪量部の周囲に設けられ前記高坪量部よりも坪量が低い低坪量部とを有する、吸収性物品。
＜４＞  前記＜３＞に記載の吸収性物品であって、前記吸収性コアは、前記構造面と前記受液面との間に前記幅方向に沿って設けられ前記第２の溝部よりも幅狭の第３の溝部を更に有する、吸収性物品。
＜５＞  前記＜３＞又は＜４＞に記載の吸収性物品であって、前記中間コア部は、前記高坪量部の周囲に設けられた第４の溝部と、前記高坪量部の内部に前記長手方向に沿って設けられ前記第４の溝部よりも幅広の第５の溝部と、を更に有する、吸収性物品。
＜６＞  前記＜５＞に記載の吸収性物品であって、前記第５の縦溝部の幅は、前記第４の縦溝部の幅よりも０．５ｍｍ以上５ｍｍ以下大きく、好ましくは１ｍｍ以上３ｍｍ以下大きい、吸収性物品。
＜７＞  前記＜５＞又は＜６＞に記載の吸収性物品であって、前記第５の縦溝部における溝深さは、０．５ｍｍ以上１０ｍｍ以下であり、好ましくは４ｍｍ以上７ｍｍ以下である、吸収性物品。
＜８＞  前記＜３＞から＜７＞のいずれか１に記載の吸収性物品であって、前記中間コア部は、前記前方コア部及び後方コア部よりも幅狭に形成され、前記複数の第１の溝部は、前記中間コア部の最小幅を規定する両側縁部の前記後方コア部における延長線上、または、前記後方コア部における前記延長線よりも内側にそれぞれ設けられる、吸収性物品。
＜９＞  前記＜１＞から＜８＞のいずれか１に記載の吸収性物品であって、前記吸収性コアは、長手方向に配列され、長手方向に直交する幅方向に延びる複数の横溝部を有する、吸収性物品。
＜１０＞  前記＜１＞から＜９＞のいずれか１に記載の吸収性物品であって、前記構造面は、前記横溝部、第１の縦溝部及び第２の縦溝部とにより形成された、ブロック部を有する、吸収性物品。
＜１１＞  前記＜１０＞に記載の吸収性物品であって、前記構造面では、幅方向の中央部に位置するブロック部が、幅方向側方部に位置するブロック部よりも小さい、吸収性物品。
＜１２＞  前記＜１０＞又は＜１１＞に記載の吸収性物品であって、少なくとも前記第１の溝部と前記横溝部で形成されたブロック部が、幅方向に関して、中央部よりも側方部の方が大きい、吸収性物品。
＜１３＞  前記＜１０＞から＜１２＞のうちいずれか１に記載の吸収性物品であって、前記ブロック部の厚みは、２ｍｍ以上１０．０ｍｍ以下である、吸収性物品。
＜１４＞  前記＜１０＞から＜１３＞のうちいずれか１に記載の吸収性物品であって、前記ブロック部の坪量は、１００ｇ／ｍ２以上５００ｇ／ｍ２以下である、吸収性物品。
＜１５＞  前記＜９＞から＜１４＞のうちいずれか１に記載の吸収性物品であって、前記構造面において、前記横溝部は長手方向に沿って等間隔に配されている、吸収性物品。
＜１６＞  前記＜１＞から＜１５＞のいずれか１に記載の吸収性物品であって、前記第１の縦溝部の幅は、０．５ｍｍ以上２．５ｍｍ以下であり、好ましくは１ｍｍ以上２ｍｍ以下である、吸収性物品。
＜１７＞  前記＜１＞から＜１６＞のうちいずれか１に記載の吸収性物品であって、前記第２の縦溝部の幅は、２．５ｍｍ以上５．５ｍｍ以下であり、好ましくは３ｍｍ以上５ｍｍ以下である、吸収性物品。
＜１８＞  前記＜１＞から＜１７＞のうちいずれか１に記載の吸収性物品であって、前記第１の縦溝部の幅と、前記第２の縦溝部の幅との差は、１．５ｍｍ以上３．５ｍｍ以下であり、より好ましくは２ｍｍ以上３ｍｍ以下である、吸収性物品。
＜１９＞  前記＜１＞から＜１８＞のうちいずれか１に記載の吸収性物品であって、前記中間コア部と後方コア部との境界に前記横溝部が配列される、吸収性物品。
＜２０＞  前記＜１９＞に記載の吸収性物品であって、前記境界に設けられた横溝部の幅は、１．５ｍｍ以上３．５ｍｍ以下、好ましくは２．０ｍｍ以上３．０ｍｍ以下である、吸収性物品。
＜２１＞  前記＜１＞から＜２０＞のうちいずれか１に記載の吸収性物品であって、前記後方コア部の幅は、６０ｍｍ以上１００ｍｍ以下である、吸収性物品。
＜２２＞  前記＜１＞から＜２１＞のうちいずれか１に記載の吸収性物品であって、前記後方コア部に配列される縦溝部の配列ピッチは、１１．０ｍｍ以上１５．０ｍｍ以下である、吸収性物品。
＜２３＞  前記＜１＞から＜２２＞のうちいずれか１に記載の吸収性物品であって、前記第１の縦溝部及び前記第２の縦溝部の溝深さは、１．５ｍｍ以上６．０ｍｍ以下である、吸収性物品。
＜２４＞  前記＜１＞から＜２３＞のうちいずれか１に記載の吸収性物品であって、前記第１の縦溝部及び第２の溝部の底部の厚みは、０．５ｍｍ以上６．０ｍｍ以下である、吸収性物品。
＜２５＞  前記＜１＞から＜２４＞のうちいずれか１に記載の吸収性物品であって、前記第１の縦溝部及び第２の縦溝部の底面の坪量は、２５ｇ／ｍ２以上３００ｇ／ｍ２以下である、吸収性物品。
＜２６＞  生理用ナプキンである、前記＜１＞から＜２５＞のうちいずれか１に記載の吸収性物品。
【符号の説明】
【０１２９】
１…ナプキン（生理用ナプキン、吸収性物品）
２０、１２０、２２０、３２０、４２０、５２０、６２０、７２０、１０２０、２０２０…吸収性コア
２１…前方コア部
２２…中間コア部
２３…後方コア部
２４…高坪量部
２５…低坪量部
４１、４２…側縁部
４３、４４…延長線
５２…受液面
５３…後方構造面（構造面）
２３７…中央部
２３８…第１の側方部（側方部）
２３９…第２の側方部（側方部）
２７１…第１の縦溝部（第１の溝部）
２７２…第２の縦溝部（第２の溝部）
２７４…第４の縦溝部（第４の溝部）
２７５…第５の縦溝部（第５の溝部）
２８３…横溝部（第３の溝部）
【図１】
2019103712.tif 000003
【図２】
2019103712.tif 000004
【図３】
2019103712.tif 000005
【図４】
2019103712.tif 000006
【図５】
2019103712.tif 000007
【図６】
2019103712.tif 000008
【図７】
2019103712.tif 000009
【図８】
2019103712.tif 000010
【図９】
2019103712.tif 000011
【図１０】
2019103712.tif 000012
【図１１】
2019103712.tif 000013
【図１２】
2019103712.tif 000014
【図１３】
2019103712.tif 000015
【図１４】
2019103712.tif 000016
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
長手方向の両端部側に位置する前方コア部及び後方コア部を有する吸収性コアを具備し、
前記後方コア部は、
前記長手方向に直交する幅方向に配列され前記長手方向に延びる複数の第１の溝部と、
前記第１の溝部よりも前記幅方向の中央側に設けられ、前記長手方向に延び、前記複数の第１の溝部よりも幅広の単数又は複数の第２の溝部と、を含む構造面を有し、
前記第２の溝部は、前記幅方向の中央部に少なくとも３つ配列され、
前記第１の溝部は、前記中央部の幅方向外方に位置する両側方部に少なくとも１つずつ配列される
吸収性物品。
【請求項２】
請求項１に記載の吸収性物品であって、
前記吸収性コアは、前方コア部及び後方コア部の間に位置する中間コア部を更に有し、
前記中間コア部は、前記構造面に隣接する受液面を有し、
前記受液面は、前記幅方向の中央部に設けられた高坪量部と、前記高坪量部の周囲に設けられ前記高坪量部よりも坪量が低い低坪量部とを有する
吸収性物品。
【請求項３】
請求項２に記載の吸収性物品であって、
前記吸収性コアは、前記構造面と前記受液面との間に前記幅方向に沿って設けられ前記第２の溝部よりも幅狭の第３の溝部を更に有する
吸収性物品。
【請求項４】
請求項２又は請求項３に記載の吸収性物品であって、
前記中間コア部は、
前記高坪量部の周囲に設けられた第４の溝部と、
前記高坪量部の内部に前記長手方向に沿って設けられ前記第４の溝部よりも幅広の第５の溝部と、を更に有する
吸収性物品。
【請求項５】
請求項２から４のいずれか１項に記載の吸収性物品であって、
前記中間コア部は、前記前方コア部及び後方コア部よりも幅狭に形成され、
前記複数の第１の溝部は、前記中間コア部の最小幅を規定する両側縁部の前記後方コア部における延長線上、または、前記後方コア部における前記延長線よりも内側にそれぞれ設けられる
吸収性物品。